(57)【要約】【課題】比較的サイズの小さいポールでも送り配線方式による配索を可能として、設置工事を省力化すると共に、デザイン性を向上させることができるポール式照明装置を提供する。【解決手段】光源１４と、柱状管からなるポール１１と、ポール１１の下端部が接合されるベースプレート２５とを備え、ポール１１は、上ポール部２１と、上ポール部２１に接続されて径大部を構成する下ポール部２２とからなる。ベースプレート２５の開口部２６の面積は、上ポール部２１と下ポール部２２との接合部の面積よりも大きく、複数のケーブル保護管２８が挿通可能である。【選択図】図２
2011029056.tif 000002
【特許請求の範囲】
【請求項１】
光源と、
前記光源が装着される柱状管からなるポールと、
前記ポールの下端部が接合されるとともに、配管部を挿通可能な開口部を有するベースプレートとを具備したポール式照明装置であって、
前記ポールが、上ポール部と、前記上ポール部に連通して接続され、径大部を構成する下ポール部とで構成され、
前記ベースプレートの前記開口部の面積は、前記上ポール部と前記下ポール部との接合部の面積よりも大きいポール式照明装置。
【請求項２】
請求項１に記載のポール式照明装置であって、
前記ポールは、金属で形成されたポール式照明装置。
【請求項３】
請求項１または２に記載のポール式照明装置であって、
前記上ポール部と前記下ポール部とは一体成型されたポール式照明装置。
【請求項４】
請求項１乃至３のいずれかに記載のポール式照明装置であって、
前記下ポール部は、下方に向かって拡がる椀状に形成されているポール式照明装置。
【請求項５】
請求項１乃至３のいずれかに記載のポール式照明装置であって、
前記下ポール部は、下方に向かって拡がる円錐台状に形成されているポール式照明装置。
【請求項６】
請求項１乃至５のいずれかに記載のポール式照明装置であって、
前記上ポール部と前記下ポール部は、重なり部を有して接合されたポール式照明装置。
【請求項７】
請求項６に記載のポール式照明装置であって、
前記下ポール部は、前記重なり部内で前記上ポール部を支持する支持部を有するポール式照明装置。
【請求項８】
請求項６に記載のポール式照明装置であって、
前記下ポール部は、前記重なり部内で前記ベースプレートと平行に配置されて前記上ポール部を支持する円盤状の支持部を有するポール式照明装置。
【請求項９】
請求項１乃至８のいずれかに記載のポール式照明装置であって、
前記下ポール部の板厚は、前記上ポール部の板厚よりも大きいポール式照明装置。
【請求項１０】
請求項１乃至９のいずれかに記載のポール式照明装置であって、
前記上ポール部に装着され、前記下ポール部の外側を覆うように前記ベースプレートに接合される外管部を具備したポール式照明装置。
【請求項１１】
請求項１０に記載のポール式照明装置であって、
前記外管部は円錐台状に形成されているポール式照明装置。
【発明の詳細な説明】
【技術分野】
【０００１】
本発明は、ポール式照明装置に係り、特に、街路、高架道路、公園などに設置されて周囲を照明するポール式照明装置に関する。
【背景技術】
【０００２】
従来、街路や公園などに設置される照明装置として、例えば金属製の柱状管（以下、ポールと言う）の先端部に照明装置を固定して周囲を照明するようにしたポール式照明装置がある。図７に示すように、ポール１の下端部には、設置用のアンカー取付け孔３が設けられたベースプレート２が溶接などによって接合されている。ポール１には、振動、風などによってポール１（特に、根元部）に作用する横方向の繰り返し応力に対する補強材として、複数（図に示す例では４個）の補強リブ４がベースプレート２との間に溶接されている。
【０００３】
照明装置の安定器やスイッチ類などに配索される電気コード６は、規格によってサイズが決められているケーブル保護管（さや管）５内に収容されてポール１まで配索され、管状のポール１内部を通って照明装置に電気的に接続される。このようなポールとしては、カップ部材をポールとベースプレートに接合して、ポール根元部の強度補強を図った基部構造体が開示されている（例えば、特許文献１参照。）。
【先行技術文献】
【特許文献】
【０００４】
【特許文献１】特開２００４−６８３０７号公報
【発明の概要】
【発明が解決しようとする課題】
【０００５】
図７に示すように、ケーブル保護管５は、土砂や雨水などの侵入、ベースプレート２などの周辺部材との干渉などから電気コード６を保護するため、内部に電気コード６を収容して地盤Ｇより高い位置まで立ち上げられている。
【０００６】
複数のポール１が隣接して設置される場合、電気コード６を送り配線方式によって各ポール１に配索することが考えられる。一方、照明装置などの低電力器具用のポール１は、直径が小さく、ポール１内に１本のケーブル保護管５しか挿入することができない場合が多い。図７は、ポール１内に２本のケーブル保護管５が挿入できない状態を示す。
【０００７】
従って、図８に示すように、それぞれのポール１ごとに独立してケーブル保護管５および電気コード６を敷設しなければならず、作業が効率的でない問題があった。この場合、直径の太いポール１を用いることにより送り配線方式での配索が可能となるが、重量、輸送コスト、材料費などが増加するだけでなく、ポール１の外径が太くなって外観的にも問題があった。
【０００８】
また、図９に示すように、送り配線方式での配索が可能なポール７も知られているが、直径が太い埋め込みタイプのポールであり、地盤Ｇに深い穴を掘ってポール７を埋め込み、更に配線工事後にモルタルやコンクリートで固定しなければならず、施工に長時間を要する問題点があった。
【０００９】
上記した問題は、特許文献１に記載の基部構造体においても、同様であり、改善の余地があった。
【００１０】
本発明は、前記実情に鑑みてなされたものであり、比較的サイズの小さいポールでも送り配線方式での配索を可能として、設置工事を省力化すると共に、デザイン性を向上させることができるポール式照明装置を提供することを目的とする。
【課題を解決するための手段】
【００１１】
そこで本発明は、光源と、前記光源が装着される柱状管からなるポールと、前記ポールの下端部が接合されるとともに、配管部を挿通可能な開口部を有するベースプレートとを具備したポール式照明装置であって、前記ポールが、上ポール部と、前記上ポール部に連通して接続され、径大部を構成する下ポール部とで構成され、前記ベースプレートの前記開口部の面積は、前記上ポール部と前記下ポール部との接合部の面積よりも大きいことを特徴とする。
上記構成によれば、光源と、上ポール部および上ポール部に接続される下ポール部とで構成されるポールと、ポールの下端部が接合されるベースプレートとを具備し、ベースプレートの開口部の面積が、上ポール部と下ポール部との接合部の面積よりも大きく形成されているため、ベースプレートの開口部から複数のケーブル保護管を挿入することができる。これにより、ポールの直径が細い場合でも、電気コードをケーブル保護管で保護しながら、送り配線方式により効率的に配索することが可能となる。また、ベースプレートを固定するためのアンカーボルトの設置工事を事前に行うことができ、工事が省力化されてポール式照明装置の設置コストを抑制することができる。
【００１２】
また、本発明では、上記ポール式照明装置において、前記ポールは、金属で形成されたものを含む。
この構成によれば、ポールが、金属で形成されているので、強い強度を有し、例えば、台風などの強風にも耐えられる。
【００１３】
また、本発明では、上記ポール式照明装置において、前記上ポール部と前記下ポール部とは一体成型されたものを含む。
この構成によれば、上ポール部と下ポール部とが一体成型されているので、強度が強く、内部への浸水が防止され、且つ外観性能に優れる。
【００１４】
また、本発明では、上記ポール式照明装置において、前記下ポール部は、下方に向かって拡がる椀状に形成されているものを含む。
この構成によれば、下ポール部が下方に向かって拡がる椀状に形成されているので、下ポール部内に複数のケーブル保護管を挿入することができ、直径の細いポールでも、送り配線方式による効率的な配索が可能となる。また、水切り性がよく腐食が防止されると共に、突起部などの引っ掛かりがなく、人が脚を引っ掛けて転倒する虞がなく、安全性に優れる。
【００１５】
また、本発明では、上記ポール式照明装置において、前記下ポール部は、下方に向かって拡がる円錐台状に形成されているものを含む。
この構成によれば、下ポール部は下方に向かって拡がる円錐台状に形成されているので、下ポール部内に複数のケーブル保護管を挿入することができ、直径の細いポールでも、送り配線方式による配索が可能となる。また、水切り性がよく腐食が防止されると共に、突起部などの引っ掛かりがなく、人が脚を引っ掛けて転倒する虞がなく、安全性に優れる。
【００１６】
また、本発明では、上記ポール式照明装置において、前記上ポール部と前記下ポール部は、重なり部を有して接合されたものを含む。
この構成によれば、上ポール部と下ポール部は、重なり部を有して接合されているので、上ポール部と下ポール部とを強固に接合することができる。
【００１７】
また、本発明では、上記ポール式照明装置において、前記下ポール部は、前記重なり部内で前記上ポール部を支持する支持部を有するものを含む。
この構成によれば、下ポール部は、重なり部内で上ポール部を支持する支持部を有するので、上ポール部を下ポール部に強固に接合することができ、例えば、台風などの強風にも耐えられる強度が確保される。
【００１８】
また、本発明では、上記ポール式照明装置において、前記下ポール部は、前記重なり部内で前記ベースプレートと平行に配置されて前記上ポール部を支持する円盤状の支持部を有するものを含む。
この構成によれば、下ポール部は、重なり部内でベースプレートと平行に配置されて上ポール部を支持する円盤状の支持部を有するため、上ポール部を下ポール部に強固に接合することができ、例えば、台風などの強風にも耐えられる強度が確保される。
【００１９】
また、本発明では、上記ポール式照明装置において、前記下ポール部の板厚は、前記上ポール部の板厚よりも大きいものを含む。
この構成によれば、下ポール部の板厚は、上ポール部の板厚より大きいため、応力集中がおきやすいポールの根元部を強化することができる。
【００２０】
また、本発明では、上記ポール式照明装置において、前記上ポール部に装着され、前記下ポール部の外側を覆うように前記ベースプレートに接合される外管部を具備したものを含む。
この構成によれば、上ポール部に装着されて、下ポール部の外側を覆うようにベースプレートに接合される外管部を有するので、応力集中がおきやすいポールの根元部の強度を強化することができ、例えば、台風などの強風にも耐えられる強度を確保して、安全性が向上する。
【００２１】
また、本発明では、上記ポール式照明装置において、前記外管部は円錐台状に形成されているものを含む。
この構成によれば、外管部は円錐台状に形成されているので、水切り性がよく腐食が防止される。また、外観に優れると共に、突起部などの引っ掛かりがなく、人が脚を引っ掛けて転倒する虞がなく、安全性に優れる。
【発明の効果】
【００２２】
この構成によれば、ベースプレートの開口部から複数のケーブル保護管を挿入することができ、ポールの直径が細い場合でも、電気コードをケーブル保護管で保護しながら、送り配線方式により効率的に配索することが可能となる。また、地面を深く掘る必要がなく、省力化をはかることができるとともに、ベースプレートを固定するためのアンカーボルトの設置工事を事前に行うことができ、工事が省力化されてポール式照明装置の設置コストを抑制することができる。
【図面の簡単な説明】
【００２３】
【図１】本発明の第1実施の形態に係るポール式照明装置の全体側面図である。
【図２】（ａ）は椀状の下ポールを備える図１に示すポールの要部断面図、（ｂ）は下面図である。
【図３】（ａ）は外管部を備える図２に示すポールの第１変形例の要部断面図、（ｂ）は下面図である。
【図４】他の外管部を備える図２に示すポールの第２変形例の要部断面図である。
【図５】円錐台状の下ポール部が重なり部を有して上ポール部に接合された第２実施の形態のポールの要部断面図である。
【図６】円錐台状の下ポール部および外管部を備える第３変形例のポールの要部断面図である。
【図７】（ａ）は従来のポールの要部断面図、（ｂ）は下面図である。
【図８】ケーブル保護管に収容された電気コードが、各ポールに独立して配索される従来のポール式照明装置の要部断面図である。
【図９】従来の埋め込みタイプのポール式照明装置の要部断面図である。
【発明を実施するための形態】
【００２４】
以下、本発明に係るポール式照明装置の実施の形態を図面に基づいて詳細に説明する。
（実施の形態１）
図１は、本発明に係るポール式照明装置の全体側面図であり、ポール式照明装置１０は、ベースプレート２５によって下端部が地盤Ｇに固定されたポール１１と、ポール１１の先端から横方向に突設するアーム１３に装着されてポール１１周辺を照明する光源である蛍光灯などの照明器具１４とを備える。そしてこのポール１１が、上ポール部２１と、この上ポール部２１に連通して接続され、径大部を構成する下ポール部２２とで構成され、ベースプレート２５の前記開口部の面積は、上ポール部２１と下ポール部２２との接合部の面積よりも大きく形成されている。
【００２５】
ポール１１は、金属、樹脂、或いはコンクリートなどによって内部が空洞の管状に形成されている。ポール１１の内部には、安定器やスイッチなどの照明器具１４を制御する制御部１５や照明器具１４に接続される電気コード１６が収容されて配索されている。
【００２６】
図２に示すように、ポール１１は、上ポール部２１と下ポール部２２とが接合されて一体に構成されている。上ポール部２１は、例えば、金属によってストレート、或いは先細りのテーパー状の管柱状に形成されている。下ポール部２２は、例えば、金属によって椀状に形成されており、椀の底となる部分（図２（ａ）においては上面）に上ポール部２１を挿入可能な接合孔２３が設けられている。下ポール部２２の板厚ｔ１は、上ポール部２１の板厚ｔ２より厚くなっており、強い強度を有する。
【００２７】
ベースプレート２５は、略矩形に形成されたポール１１固定用の金属板であり、大径の開口部２６と、複数のアンカーボルト取付け孔２７が設けられている。ベースプレート２５の開口部２６の内径ｄ１は、上ポール部２１の内径ｄ２よりも大きく、電気コード１６を配索するための複数（少なくとも２本）のケーブル保護管２８を挿入可能な大きさを有する。
【００２８】
下ポール部２２は、椀を伏せた状態、即ち径大部側を下にして、ベースプレート２５の開口部２６に全周溶接されている。更に、下ポール部２２の接合孔２３には、上ポール部２１の下端部が挿入され、全周溶接されている。これにより、上ポール部２１、下ポール部２２、およびベースプレート２５が一体に形成される。
【００２９】
ポール式照明装置１０の設置工事は、予め、設置予定場所の地盤Ｇにケーブル保護管２８を埋設して敷設すると共に、不図示のアンカーボルトをコンクリートで植設しておく。尚、ケーブル保護管２８は、例えば、直径４０ｍｍ程度の樹脂製フレキシブル管であり、設置場所に応じて自由に屈曲配置されて、内部に収容する電気コード１６を保護する。そして、ベースプレート２５のアンカーボルト取付け孔２７にアンカーボルトを挿通して固定する。このとき、地盤Ｇから立ち上げられている複数のケーブル保護管２８の先端部は、ベースプレート２５の開口部２６から椀状の下ポール部２２の内部に収容される。
【００３０】
複数のケーブル保護管２８を収容することはできない程度に上ポール部２１の内径ｄ２が小さい場合でも、下ポール部２２の内径ｄ１が大きいので、複数のケーブル保護管２８は支障なく下ポール部２２内に収容される。次いで、ケーブル保護管２８に挿通された電気コード１６が、上ポール部２１の内部を通して配線されて照明器具１４に電気的に接続される。
【００３１】
本実施の形態のポール式照明装置１０によれば、ベースプレート２５の開口部２６の面積が、上ポール部２１と下ポール部２２との接合部の面積よりも大きいので、地盤Ｇから立ち上がる複数のケーブル保護管２８を、ベースプレート２５の開口部２６から下ポール部２２内に挿入することができ、ポール１１（上ポール部２１）の直径が細い場合でも、送り配線方式による効率的な配索が可能となる。また、ベースプレート２５を固定するためのアンカーボルトの設置工事を事前に行うことができ、ポール式照明装置１０の設置コストを抑制することができる。
【００３２】
また、金属製の上ポール部２１と下ポール部２２とが溶接されて一体に成型されているので、強い強度を有し、例えば、台風などの強風にも耐えられる。また、内部への浸水が防止されると共に、外観性能に優れる。
【００３３】
また、下ポール部２２の板厚ｔ１は、上ポール部２１の板厚ｔ２より大きいので、応力集中がおきやすいポール１１の根元部の強度を強化することができる。更に、下ポール部２２が下方に向かって拡がる椀状に形成されているので、下ポール部２２に複数のケーブル保護管２８を挿入することができ、送り配線方式による効率的な配索が可能となる。また水切り性がよく腐食が防止されると共に、突起部などの引っ掛かりがなく、人が脚を引っ掛けて転倒する虞がなく、安全性に優れる。
【００３４】
（変形例１）
図３は変形例１のポールの要部断面図、および下面図であり、円錐台状に形成された外管部３０が、椀状の下ポール部２２の外側を覆うように、上ポール部２１とベースプレート２５に接合されている。その他の部分については、上記実施の形態１のポール１１と同様であるので、同一部分には同一符号又は相当符号を付して説明を簡略化又は省略する。
【００３５】
本変形例のポール１１によれば、応力集中がおきやすいポール１１の根元部強度を外管部３０によって更に強化することができ、例えば、台風などの強風にも十分に耐えられる強度が確保される。また、水切り性がよく腐食が防止されると共に外観に優れ、且つ突起部などの引っ掛かりが突出しておらず、人が脚を引っ掛けて転倒する虞がなく、安全性に優れる。
【００３６】
（変形例２）
図４は変形例２のポールの要部断面図であり、略円錐台状に形成された外管部３１が、椀状の下ポール部２２の外側を覆うように、上ポール部２１とベースプレート２５に接合されている。第２変形例の外管部３１は、ベースプレート２５に対して平行にされて上端部に設けられた円環状平面部３２と、ベースプレート２５に対して垂直にされて下端部に設けられたリング状縦壁３３とを備えており、円環状平面部３２が上ポール部２１に接合され、リング状縦壁３３がベースプレート２５に接合されている点で、変形例１の外管部３０と異なる。
その他の部分については、変形例１のポール１１と同様であるので、同一部分には同一符号又は相当符号を付して説明を簡略化又は省略する。
【００３７】
（実施の形態２）
図５は実施の形態２のポールの要部断面図であり、下ポール部３５は下方に拡がる円錐台状に形成されている。上ポール部２１は下ポール部３５内に深く挿入されており、下ポール部３５の上部が上ポール部２１の中間部に溶接され、下ポール部３５の下部がベースプレート２５に溶接されている。即ち、上ポール部２１と下ポール部３５は、重なり部Ｗを有して一体に接合されている。
【００３８】
重なり部Ｗ内には円盤状の支持部３７がベースプレート２５と平行に配置されており、支持部３７の外径部が下ポール部３５の内面に溶接され、内径部が上ポール部２１の下端部３６に溶接されている。これにより、上ポール部２１は、下ポール部３５と支持部３７の２カ所で強固に支持される。
【００３９】
本実施の形態のポール１１によれば、下ポール部３５が下方に拡がる円錐台状に形成されているので、下ポール部３５内に複数のケーブル保護管２８を挿入することができ、送り配線方式による配索が可能となる。また、水切り性がよく腐食が防止されると共に、突起部などの引っ掛かりがなく、人が脚を引っ掛けて転倒する虞がなく、安全性に優れる。
【００４０】
また、上ポール部２１と下ポール部３５は重なり部Ｗを有して接合され、更に上ポール部２１は、重なり部Ｗ内で円盤状の支持部３７によって支持されるので、上ポール部２１を下ポール部３５に強固に接合することができ、例えば、台風などの強風にも耐えられる強度が確保される。
【００４１】
（変形例３）
図６は変形例３のポールの要部断面図であり、円錐台状の下ポール部３５と外管部４０とを備える。即ち、前記実施の形態２と同様に、円錐台状の下ポール部３５の上部が上ポール部２１と溶接され、下ポール部３５の下部がベースプレート２５に溶接されている。更に、円錐台状の外管部４０が、下ポール部３５の外側を覆うように、上ポール部２１とベースプレート２５に接合されている。
【００４２】
変形例３のポール１１は、外管部４０を有する点、および支持部３７を備えていない点を除いて、図５に示す実施の形態２のポール１１と同様であるので、同一部分には同一符号又は相当符号を付して説明を簡略化又は省略する。
【００４３】
本変形例のポール１１によれば、応力集中がおきやすいポール１１の根元部強度を外管部４０によって強化することができ、例えば、台風などの強風にも耐えられる強度が確保される。また、外管部４０が円錐台状に形成されているので、水切り性がよく、腐食が防止されると共に外観に優れる。また突起部などの引っ掛かりが突出しておらず、人が脚を引っ掛けて転倒する虞がなく、安全性に優れる。
【００４４】
尚、本発明は、前述した各実施の形態及び各変形例に限定されるものではなく、適宜、変形、改良、等が可能である。例えば、上記の実施の形態においては、上ポール、下ポール、およびベースプレートは金属製であり、溶接によって一体に形成されたものとして説明したが、これに限定されず、樹脂やコンクリートなどで一体成形されたものであってもよい。
【符号の説明】
【００４５】
１０      ポール式照明装置
１１      ポール
１４      照明器具（光源）
２１      上ポール部
２２      下ポール部
２５      ベースプレート
２６      開口部
２８      ケーブル保護管（配管部）
３０      外管部
３１      外管部
３５      下ポール部
３７      支持部
４０      外管部
ｔ１      下ポール部の板厚
ｔ２      上ポール部の板厚
Ｗ        重なり部
【図１】
2011029056.tif 000003
【図２】
2011029056.tif 000004
【図３】
2011029056.tif 000005
【図４】
2011029056.tif 000006
【図５】
2011029056.tif 000007
【図６】
2011029056.tif 000008
【図７】
2011029056.tif 000009
【図８】
2011029056.tif 000010
【図９】
2011029056.tif 000011